(57)【要約】【課題】  単純なアルゴリズムで、確実に膝折れを防止し、坂道の昇降、階段の昇降ができる高機能大腿義足を提供する。【解決手段】  健脚側の下肢の運動を検出し、その検出された健脚側の下肢の運動から患者の運動パターンを判定し、その判定された運動パターンに従って義足の膝関節を制御する。より具体的には、健脚側のかかと荷重検出器２２とつま先荷重検出器２３からの信号により義足の膝関節のダンパーを制御する。基本的には各検出器２２、２３の信号の立ち上がりを検出して膝関節をアンロックとする遊脚相制御７５を行い、信号の立ち下がりを検出してロックとする立脚相制御７６を行う。この基本的な制御に加え、歩行周期を検出して遅速信号を出し、階段下りを検出してイールディング信号を出すことにより、より健常者に近い義足の動作を可能とする。【選択図】    図５
2005230207.tif 000002
【特許請求の範囲】
【請求項１】
膝の屈曲伸展を可能とする大腿義足において、
健脚側の足の着床、離床を検出する健脚歩行検出手段と、
義足側の膝の屈曲伸展抵抗をロック状態から自由状態まで可変とする膝抵抗可変手段と、
前記健脚歩行検出手段からの信号に基づき患者の動作状態を判定し、その判定された動作状態からあるべき義足膝の指令屈曲伸展抵抗を計算するマイクロコンピュータを用いた膝抵抗計算手段と、
前記膝抵抗計算手段で計算された指令屈曲伸展抵抗に従い前記膝抵抗可変手段を駆動する駆動手段と、
を備えることを特徴とする健脚制御大腿義足。
【請求項２】
前記健脚歩行検出手段が、かかと荷重検出器とつま先荷重検出器とからなることを特徴とする請求項１に記載の健脚制御大腿義足。
【請求項３】
前記膝抵抗可変手段が、油圧若しくは空圧シリンダと、そのシリンダの両室を連通する流路に設けられた絞り弁とからなることを特徴とする請求項１又は２に記載の健脚制御大腿義足。
【請求項４】
前記駆動手段が、ステッピングモータであることを特徴とする請求項１乃至３のいずれかに記載の健脚制御大腿義足。
【請求項５】
前記膝抵抗計算手段が、かかと荷重検出器又はつま先荷重検出器のいずれかの荷重の立ち上がりを検出したら膝抵抗可変手段をアンロックにすることを開始し、かかと荷重検出器又はつま先荷重検出器のいずれかの荷重の立ち下がりを検出したら膝抵抗可変手段をロックにすることを開始する遊脚相立脚相切換手段を備えることを特徴とする請求項２に記載の健脚制御大腿義足。
【請求項６】
前記膝抵抗計算手段が、かかと荷重検出器又はつま先荷重検出器のいずれかの立ち上がり周期を測定し歩行周期とし、義足膝の遊脚相の指令屈曲抵抗又は／及び指令伸展抵抗を前記歩行周期の関数とする遊脚相制御手段を備えていることを特徴とする請求項５に記載の健脚制御義足。
【請求項７】
前記膝抵抗計算手段が、かかと荷重検出器及びつま先荷重検出器からの信号により、つま先がかかとより早く荷重し、つま先がかかとに遅れて非荷重となる歩行パターンの時は、階段下りと判定し、階段下りのときは義足膝の立脚相の膝抵抗可変手段のロック時の指令屈曲伸展抵抗を完全なロック状態より小さい値とするイールディング手段を備えていることを特徴とする請求項５に記載の健脚制御大腿義足。
【請求項８】
健脚側の下肢の運動を検出し、その検出された健脚側の下肢の運動から患者の運動パターンを判定し、その判定された運動パターンに従って義足の膝関節を制御する大腿義足の制御方法。
【発明の詳細な説明】
【技術分野】
【０００１】
本発明は、膝関節を失った患者に用いられる大腿義足に関し、特に、平地歩行だけでなく坂道や階段の昇降をも可能とする大腿義足に関する。
【背景技術】
【０００２】
膝関節を失った患者に用いられる大腿義足の最も単純なものは膝関節機能を持たない単なる棒である。しかし、この義足は遊脚相時に腰を捻って義足を前方に振り出さねばならず、歩容が極度に悪い。そこで、ヒンジのような膝関節を有する義足が提供される。膝関節を有する義足では立脚相での膝折れを防止することが転倒を防ぐ上で重要である。ある義足では患者が立脚期に股関節を伸展方向に力を入れることにより膝折れを防いでいた。また、膝関節にリンク機構を用いて、立脚期に膝の回転中心が足からの作用力線より前方に来るようにして膝折れを確実に防ぐものが、特開２００２−５８６８９号公報に提案されている。
【０００３】
ところで、人間の膝は単なるヒンジではなく、歩行、運動のパターンに従って様々な筋肉が働き微妙な屈曲伸展力を作用させている。そこで、義足の膝関節にも、より複雑な作用をするものが提案されるようになった。特開平９−５５１号公報には、エアシリンダの絞り弁を制御し、遊脚相の膝の屈曲伸展の抵抗を歩行スピードによって制御するものが提案されている。日本特許第３，１３１，９３３号（ＵＳＰ５，３８３，９３９）には、膝角度センサーと足負荷センサーからの信号に基づきコンピュータを用いて義足が歩行の如何なる状態に現在あるかを判定し、その状態に応じた膝関節の屈曲抵抗と伸展抵抗とを別々に制御するものが提案されている。また、特開２００１−２１８７７８号公報には、義足の大腿ソケット内に２つのセンサーを設け、体重負荷と切断脚の断端の筋肉の収縮とを検出し、その信号により膝の屈曲抵抗を制御するものが提案されている。
【０００４】
【特許文献１】特開２００２−５８６８９号公報
【特許文献２】特開平９−５５１号公報
【特許文献３】日本特許第３，１３１，９３３号（ＵＳＰ５，３８３，９３９）
【特許文献４】特開２００１−２１８７７８号公報
【発明の開示】
【発明が解決しようとする課題】
【０００５】
ところで、上記の従来の義足は、いずれも、義足側からだけの情報により膝関節を制御しようとしている。このため、例えば特許文献３の大腿義足は、膝角度、義足の骨格への負荷等の複雑な情報を処理しなければならず、その検出器だけでも装置が複雑になる。また、義足側の情報で、足関節に伸展モーメントが加わったか（かかとに荷重が加わったとき）、屈曲モーメントが加わったか（つま先に荷重が加わったとき）により歩行の状態を判断しているため、後退歩行には対応できなかった。また、階段を下りることはできても階段を上ることはできない。特許文献４の大腿義足は、断端の筋肉の緊張により患者の意図する運動を判断するため、コントロールが難しく、患者に訓練が必要になる。また、患者によっては必要な断端の緊張が得られない場合もある。
【０００６】
本発明は、従来のものとは発想を異にし、健脚側の下肢からの情報により大腿義足の膝関節を制御しようとするものである。健常者の歩行運動を考えてみるに、左右の下肢は１８０度位相がずれて全く同じ動きをしている。一方の足に荷重しているとき（立脚相）は他方の足は非荷重である（遊脚相）。したがって、おおざっぱに言えば、健脚側に荷重しているときは義足側は非荷重に、健脚側が非荷重のときは義足側に荷重されているといえる。そこで、健脚側が荷重されているときは義足の膝関節は自由に動き（遊脚相）、健脚側が非荷重になったときは義足の膝関節を固定（立脚相に）すれば良いことになる。歩行運動のように左右の下肢が対象に動くものではない運動も、健脚側の動きにより義足の関節を制御し所望の運動を達成することが容易である。従来のように、患者の断端の筋肉の緊張や義足側の動きにより義足を患者が制御することを考えれば、患者が健脚の動きにより制御することが、いかに患者にとって容易であるか想像できるであろう。
【課題を解決するための手段】
【０００７】
上記の目的を達成するため、第１の態様の発明として、膝の屈曲伸展を可能とする大腿義足において、健脚側の足の着床、離床を検出する健脚歩行検出手段と、義足側の膝の屈曲伸展抵抗をロック状態から自由状態まで可変とする膝抵抗可変手段と、前記健脚歩行検出手段からの信号に基づき患者の動作状態を判定し、その判定された動作状態からあるべき義足膝の指令屈曲伸展抵抗を計算するマイクロコンピュータを用いた膝抵抗計算手段と、前記膝抵抗計算手段で計算された指令屈曲伸展抵抗に従い前記膝抵抗可変手段を駆動する駆動手段と、を備えることを特徴とする健脚制御大腿義足が提供される。
【０００８】
第２の態様の発明として、前記健脚歩行検出手段が、かかと荷重検出器とつま先荷重検出器とからなることを特徴とすることができる。ここで、各荷重検出器は単なるオンオフ信号を出す圧力スイッチであっても良く、また、歪みゲージのように荷重を連続的に検出するものであっても良い。
第３の態様の発明として、前記膝抵抗可変手段が、油圧若しくは空圧シリンダと、そのシリンダの両室を連通する流路に設けられた絞り弁とからなることを特徴とすることができる。ここでシリンダとは、直線シリンダだけではなく回転シリンダも含むものとする。
第４の態様の発明として、前記駆動手段が、ステッピングモータであることを特徴とすることができる。
【０００９】
第５の態様の発明として、前記膝抵抗計算手段が、かかと荷重検出器又はつま先荷重検出器のいずれかの荷重の立ち上がりを検出したら膝抵抗可変手段をアンロックにすることを開始し、かかと荷重検出器又はつま先荷重検出器のいずれかの荷重の立ち下がりを検出したら膝抵抗可変手段をロックにすることを開始する遊脚相立脚相切換手段を備えることを特徴とすることができる。
【００１０】
第６の態様の発明として、前記膝抵抗計算手段が、かかと荷重検出器又はつま先荷重検出器のいずれかの立ち上がり周期を測定し歩行周期とし、義足膝の遊脚相の指令屈曲抵抗又は／及び指令伸展抵抗を前記歩行周期の関数とする遊脚相制御手段を備えていることを特徴とすることができる。
【００１１】
第７の態様の発明として、前記膝抵抗計算手段が、かかと荷重検出器及びつま先荷重検出器からの信号により、つま先がかかとより早く荷重し、つま先がかかとに遅れて非荷重となる歩行パターンの時は、階段下りと判定し、階段下りのときは膝抵抗可変手段のロック時の指令屈曲伸展抵抗を完全なロック状態より小さい値とするイールディング手段を備えていることを特徴とすることができる。
【００１２】
第８の態様の発明として、健脚側の下肢の運動を検出し、その検出された健脚側の下肢の運動から患者の運動パターンを判定し、その判定された運動パターンに従って義足の膝関節を制御する大腿義足の制御方法が提供される。ここで下肢の運動としては、上述のように、足の着床、離床だけではなく、足関節の屈伸角度、膝関節の屈伸角度等を検出し、より高度な制御を行っても良い。また、健脚側の情報だけではなく、義足側の荷重データ、膝関節の屈伸角度データ等と健脚側のデータを組み合わせることにより、より高度な義足の制御が可能になる。
【発明の効果】
【００１３】
上記第１の態様の発明によれば、健脚側の健脚歩行検出手段により健脚の歩行状態が判定され、それにより義足の膝抵抗が制御される。それ故、義足側の信号によらず大腿義足を適正に制御することができるという効果があり、より単純な検出器からの情報に基づいて高性能な制御を可能とする義足を提供できるという効果を奏する。
【００１４】
第２の態様の発明は、かかと荷重とつま先荷重という簡単な情報により健脚の運動状態を比較的正確に判断することができるから、高性能義足をより簡単な構成で提供できるという効果がある。
第３の態様の発明は、義足の膝に要求される屈伸抵抗を比較的容易に与えることができるという効果がある。油圧シリンダを用いたときは膝の確実なロックを容易に達成することができる。
第４の態様の発明は、膝抵抗可変手段のマイクロコンピュータによる制御が容易になるという効果がある。
【００１５】
第５の態様の発明は、健脚が遊脚相から立脚相に移行し始めようとするとき、立脚相から遊脚相に移行し始めようとするときに、義足の膝抵抗の切換を開始するから、義足の膝抵抗の切換が速く始まり、より自然に近いスムーズな義足を構成することができるという効果がある。
【００１６】
第６の態様の発明は、義足が遊脚相の時に義足の膝抵抗を可変にし、義足を振り出し振り戻すスピードを変化させて、患者の歩行スピードに合わせた義足の遊脚相の制御ができるという効果がある。たとえば、患者の歩行速度が速いときは、股関節の屈筋が速く屈曲されるので、義足の膝抵抗を大きくし、大腿部の振り出しに膝関節が屈曲してしまい遅れることがないようにする。これにより、患者の歩行スピードに合わせた義足の制御ができるという効果がある。ここで歩行周期の関数としては、適当な間隔で歩行周期と義足膝の指令屈曲抵抗と指令伸展抵抗の表を記憶させておき、補間演算により指令屈曲抵抗と指令伸展抵抗を求める関数とすることができる。また、歩行周期の逆数に適当な常数を乗じたものを指令屈曲抵抗とし、指令伸展抵抗は最小値のままとしても良い。さらには、適当な最大値（定数）から歩行周期を差し引いた数値を指令屈曲抵抗としても良い。
【００１７】
第７の態様の発明は、階段下り特有の歩行パターンを検出してイールディング（ｙｉｅｌｄｉｎｇ）を可能とするものであるから、階段下りの際に義足に体重をかけると膝関節がゆっくりと屈曲し、階段下りを可能とする優れた効果がある。
【００１８】
第８の態様の発明は、本出願の発明概念の全体を包括する方法の発明であり、健脚制御により比較的簡単な構成による高機能義足を可能とするという効果がある。
【発明を実施するための最良の形態】
【００１９】
図１は、本発明に係る大腿義足１０を示す側面図である。大腿義足１０はソケット１１、下腿フレーム１４、足部１５を主な要素とする。ソケット１１は合成樹脂で構成され、患者の大腿部断端を受け入れ吸着固定する。ソケット１１はアルミニューム合金で作られた円盤形状のソケット受け台１２に固定される。ソケット受け台１２には膝軸１３により揺動自在に下腿フレーム１４が支承されている。下腿フレーム１４の下部には足部１５が取り付けられる。下腿フレーム１４とソケット受け台１２とは油圧シリンダ１６により連結される。
【００２０】
すなわち、油圧シリンダ１６の本体下部は軸１８により揺動自在に下腿フレーム１４に支承され、油圧シリンダ１６のピストンロッドは軸１７により揺動自在にソケット受け台１２に支承されている。油圧シリンダ１６は直線ダンパーとして作用する。制動の強さは制御ユニット２０からの信号により制御される。制御ユニット２０には無線受信器１９からの信号が入力される。一方、健脚側の靴２１には、かかと荷重検出器２２とつま先荷重検出器２３とがそれぞれ靴２１の中敷きの踵部と前足部に組み込まれる。かかと荷重検出器２２とつま先荷重検出器２３からの信号は無線送信器２４から送信され、前述の無線受信器１９に送信される。靴２１及び足部１５は交互に床面２５に着床する。
【００２１】
図２は、かかと荷重検出器２２又はつま先荷重検出器２３を構成するゴムスイッチ３０の構造を示す断面図である。両者２２、２３は全く同じ構造のゴムスイッチ３０である。ゴムスイッチ３０は、孔３３ａの空いた中芯ゴム膜３３を上下の金属膜３２、３４で挟み、その上下に保護ゴム膜３１、３５で覆ったものである。ゴムスイッチ３０に荷重Ｗが掛かると上下の金属膜３２、３４が孔３３ａで当接し、端子３６、３７間が電気的に導通する。上下の金属膜３０、３４が接触しゴムスイッチ３０が荷重を検出する荷重Ｗの大きさは中芯ゴム膜３３の厚さで調節する。かかと荷重検出器２２及びつま先荷重検出器２３として使用するゴムスイッチ３０は、例えば、患者の体重の１／２０以上の荷重でオンとなり、それ以下の荷重ではオフとなるものを使用する。
【００２２】
図３は、ダンパーとして作用する油圧シリンダ１６の構造を模式的に示す断面図である。シリンダ本体４１と蓋体４２とで円筒形状のシリンダ室４３を構成し、シリンダ室４３はピストン４４で画されて上室４５と下室４６が形成されている。ピストン４４にはピストンロッド４７が固定される。シリンダ室４３の上室４５と下室４６は、２つの油圧通路５１、５２により連通されている。第１の油圧通路５１は、ピストンロッド４７を引き出すとき、つまり、大腿義足１０の膝を伸展させるときに使われる通路であり、上室４５から第１の絞り弁５３、第１の油圧通路５１、第１のチェックバルブ５４を経由して下室４６に至る。
【００２３】
第２の油圧通路５２は、ピストンロッド４７を押し込むとき、つまり、大腿義足１０の膝を屈曲させるときに使われる通路であり、下室４６から第２の絞り弁５５、第２の油圧通路５２、第２のチェックバルブ５６を経由して上室４５に至る。各絞り弁５３、５５はそれぞれ回転直線運動変換機構５７、５８を介してステッピングモータ５９、６０の出力軸に結合されている。つまり、各絞り弁５３、５５の開度は各ステッピングモータ５９、６０の回転位置で制御される。各ステッピングモータ５９、６０は制御ユニット２０により制御される。
【００２４】
図４は、油圧シリンダ１６の油圧回路及びその制御回路を示す制御系統図である。大腿義足１０の膝を伸展させようとするときは、上室４５から第１の絞り弁５３、第１の油圧通路５１、第１のチェックバルブ５４を経由して下室４６に至る経路を作動油が流れる。第２の油圧通路５２には第２のチェックバルブ５６に阻止され作動油は流れない。膝を伸展させるときの制動力は第１の絞り弁５３の開度による。第１の絞り弁５３が全開のときは下腿フレーム１４及び足部１５の重量等で決まる自由振動に近い速度で振り出され、全閉のときはロックされた状態になり膝を伸展させることができない。
【００２５】
同様に、膝を屈曲させようとするときは、下室４６から第２の絞り弁５５、第２の油圧通路５２、第２のチェックバルブ５６を経由して上室４５に至る経路を作動油が流れる。第１の油圧通路５１には第１のチェックバルブ５４に阻止され作動油は流れない。膝を屈曲させるときの制動力は第２の絞り弁５５の開度による。第２の絞り弁５５が全開のときは下腿フレーム１４及び足部１５の重量等で決まる自由振動に近い速度で屈曲され、全閉のときはロックされた状態になり膝を屈曲させることができない。つまり、膝折れしない状態になる。また、第２の絞り弁５５の開度が中間の時は、膝の屈曲に適度の抵抗を与える。たとえば、患者が早足で歩行しようとする時に、患脚の股関節の速い屈曲に遅れず義足の膝が追従することができる。
【００２６】
そして、各絞り弁５３、５５の開度は各ステッピングモータ５９、６０の回転位置で制御される。各ステッピングモータ５９、６０の回転位置は制御ユニット２０により制御される。制御ユニット２０はＣＰＵ（中央処理装置）、ＲＯＭ（読み出し専用メモリ）、ＲＡＭ（読み出し書き込みメモリ）等を有するマイクロプロセッサを備え、健脚の靴２１に装着されたかかと荷重検出器２２及びつま先荷重検出器２３からのオン、オフ信号を無線送信器２４、無線受信器１９を経由して受け取る。制御ユニット２０ではかかと荷重検出器２２及びつま先荷重検出器２３からのオン、オフ信号により患者の歩行パターンを判定し、その歩行パターンに沿って各ステッピングモータ５９、６０を制御し、膝の屈曲伸展の制動力、ロック、アンロックを制御する。
【００２７】
図５は、制御ユニット２０における制御ロジックの概要を示すブロック図である。健脚の靴２１に装着されたかかと荷重検出器２２及びつま先荷重検出器２３からのオン、オフ信号は、立ち上がり検出手段７１、立ち下がり検出手段７２、階段下り検出手段７４に入力される。また、かかと荷重検出器２２からのオンオフ信号が周期検出手段７３に入力される。
【００２８】
立ち上がり検出手段７１では、かかと荷重検出器２２又はつま先荷重検出器２３からの信号がオンになる立ち上がりを検出する。立ち上がり検出手段７１の３つのメモリ７１ａには最新の３回の荷重立ち上がり間隔時間が記憶される。一方、荷重の立ち上がりを検出すると直ちに指令屈曲伸展抵抗を減少させ義足の膝のアンロックを開始させる。指令屈曲伸展抵抗をゼロにしアンロックが完了するまでのアンロック所要時間は、たとえば、立ち上がり検出手段７１の３つのメモリ７１ａに記憶された立ち上がり間隔時間の平均値の２／３とする。メモリ７１ａには最新の３歩の荷重立ち上がり間隔時間、つまり、かかと荷重を検出してからつま先荷重を検出するまでの所要間隔時間、あるいは、つま先荷重を検出してからかかと荷重を検出するまでの所要間隔時間が検出され記憶され更新される。
【００２９】
所要間隔時間が所定値たとえば１．５秒より長いときはその時間は荷重立ち上がり間隔時間ではないと見なされ無視され記憶されない。また、電源を入れた当初には患者に適合して予め設定された初期所要間隔時間（たとえば０．５秒）が３つのメモリ７１ａに記憶される。このようにして、最新の３歩の荷重立ち上がり間隔時間の２／３の時間でもってアンロック所要時間が算出され、そのアンロック所要時間でアンロックを完了すべく各瞬間の指令屈曲伸展抵抗を計算して遊脚相制御手段７５に与える。但し、アンロック所要時間内であっても、次のつま先又はかかと荷重立ち上がりを検出したときは直ちに指令屈曲伸展抵抗を最小値にしてアンロックとする。健脚が立脚相となったからである。
【００３０】
遊脚相制御手段７５では、原則として、立ち上がり検出手段７１からの指令屈曲伸展信号に従って各ステッピングモータ５９、６０を回転駆動し、各絞り弁５３、５５を開放してアンロックの状態に駆動する。大腿義足１０を遊脚相にすると言うことである。アンロック状態に移行するのに要する時間は、上記３つのメモリ７１ａに記憶された時間の平均値の２／３の時間に制御される。
【００３１】
立ち下がり検出手段７２では、かかと荷重検出器２２又はつま先荷重検出器２３からの信号がオフになる立ち下がりを検出する。立ち下がり検出手段７２の３つのメモリ７２ａには最新の３回の荷重立ち下がり間隔時間が記憶される。一方、荷重の立ち下がりを検出すると直ちに指令屈曲伸展抵抗を増加させ義足の膝のロックを開始させる。指令屈曲伸展抵抗が最大になりロックが完了するまでのロック所要時間は、たとえば、立ち下がり検出手段７２の３つのメモリ７２ａに記憶された立ち下がり間隔時間の平均値の２／３とする。メモリ７２ａには最新の３歩の荷重立ち下がり間隔時間、つまり、かかと荷重の喪失を検出してからつま先荷重の喪失を検出するまでの所要間隔時間、あるいは、つま先荷重の喪失を検出してからかかと荷重の喪失を検出するまでの所要間隔時間が検出され記憶され更新される。
【００３２】
所要間隔時間が所定値たとえば１．５秒より長いときはその時間は荷重立ち下がり間隔時間ではないと見なされ無視され記憶されない。また、電源を入れた当初には患者に適合して予め設定された初期所要間隔時間（たとえば０．５秒）が３つのメモリ７２ａに記憶される。このようにして、最新の３歩の荷重立ち下がり間隔時間の２／３の時間でもってロック所要時間が算出され、そのロック所要時間でロックを完了すべく各瞬間の指令屈曲伸展抵抗を計算して立脚相制御手段７６に与える。但し、ロック所要時間内であっても、次のつま先又はかかと荷重立ち下がりを検出したときは直ちに指令屈曲伸展抵抗を最大値にしてロックをかける。健脚が遊脚相となったからである。
【００３３】
立脚相制御手段７６では、原則として、立ち下がり検出手段７２からの指令屈曲伸展信号に従って各ステッピングモータ５９、６０を回転駆動し、各絞り弁５３、５５を閉じてロックの状態に駆動する。大腿義足１０を立脚相にすると言うことである。ロック状態に移行するのに要する時間は、この例では、上記３つのメモリ７２ａに記憶された時間の平均値の２／３の時間に制御される。このとき、膝の伸展を可能とする第１の絞り弁５３は原則として開放したままとするが、患者の好みにより可変とすることもできる。
【００３４】
周期検出手段７３では、かかと荷重検出器２２からの荷重信号の周期つまり歩行周期を計測し最新の３つの周期をメモリ７３ａに記憶する。電源を入れた当初には患者に適合して予め設定された初期歩行周期（たとえば２秒）が３つのメモリ７３ａに設定記憶される。このようにして、最新の３歩の歩行周期がメモリ７３ａに記憶され、その最新の３歩の歩行周期の平均値から予め記憶された表から補間計算された値の制御用の遅速信号を遊脚相制御手段７５に送る。
【００３５】
遊脚相制御手段７５では遅速信号に従いステッピングモータ５９、６０を制御し、絞り弁５３、５５が完全に開かれた状態から適切に閉じられた状態にする。これにより遊脚相での膝関節の揺動に抵抗を与え、義足の膝関節の揺動速度を遅くする。そうすると、患脚での股関節の動きへの義足の膝関節の追従性が良くなり、したがって義足の遊脚相での動きが速くなり歩行速度に合わせた自然な歩容に近いものになる。このように、健脚で測定された歩行周期により、絞り弁５３、５５の絞り加減を変化させ、歩行速度が速いほど膝関節の揺動抵抗が大きくなるように制御すれば、患者の歩行速度に合わせた自然な歩容に近いものになる。
【００３６】
階段下り検出手段７４では、かかと荷重検出器２２及びつま先荷重検出器２３からの信号により階段下り歩行を行っていることを判定し、階段下り歩行の時はイールデイング（ｙｉｅｌｄｉｎｇ）信号を立脚相制御手段７６に出す。階段下り歩行の判定は、階段下り時には、つま先が先に着床し次いでかかとが着床し、離床時にはかかとが先に離床してからつま先が後から離床するという特殊な歩行パターンに着目する。すなわち、つま先がかかとより早く荷重し、つま先がかかとに遅れて非荷重となる歩行パターンを検出したときは、階段下りと判定し、イールデイング信号を出す。
【００３７】
立脚相制御手段７６では、前述のように、原則として、立ち下がり検出手段７２からの指令屈曲伸展信号に従って各ステッピングモータ５９、６０を回転駆動し、各絞り弁５３、５５を閉じてロックの状態に駆動するが、階段下り検出手段７４からイールデイング信号が出されているときは各絞り弁５３、５５を完全に閉じてしまわずに僅かに開けて作動油が流れることができる状態に制御する。この状態では、膝関節に緩いロックが掛かった状態となり、患者の全体重が義足に掛かると膝関節がゆっくりと屈曲することになる。
【００３８】
以上の構成に基づき、健脚制御大腿義足の作動について説明する。図６、図７は、健脚のかかと荷重検出器２２及びつま先荷重検出器２３からの荷重信号と義足の膝関節のロックアンロックの状態を示すタイミングチャートである。図８乃至図１２は、各種歩行のパターンを示す側面図である。
【００３９】
平地前進歩行では、図６（Ａ）及び図８の（Ａ）から（Ｅ）に進む歩行パターンとなる。健脚（右下肢）が遊脚相で前方に振り出され、健脚のかかとが着床するとかかと荷重の立ち上がりを検出して義足膝関節のアンロックが開始され、つま先荷重の立ち上がりを検出するフラットの状態になるまでに義足膝関節は完全にアンロックになり義足は遊脚相に健脚は立脚相になる（図８（Ａ）〜（Ｂ））。健脚の立脚相（図８（Ｂ）〜（Ｅ））では遊脚相にある義足（左下肢）はアンロックであり自由状態にあるから、義足は腰の前進につれて一旦屈曲し、次に伸展しながら前方に振り出される。
【００４０】
前方に振り出された義足は、次に、立脚相に入るのであるが、同じ図８の（Ａ）から（Ｅ）を参照して説明する。但し、ここからは、右下肢が義足で左下肢が健脚として図８を参照する。伸展した義足（右下肢）のかかとが着床する前に健脚（左下肢）のかかとが離床する（図８（Ａ））。この健脚（左下肢）のかかと荷重の立ち下がりを検出して義足膝関節のロックが開始され、健脚のつま先が離床し（図８（Ｃ））つま先荷重の立ち下がりを検出する前に義足関節は伸展したまま完全にロックされる。以後は、義足が立脚相となり患者の体重を支え、健脚が遊脚相となって図８（Ｃ）〜（Ｅ）に進む。健脚が前方に振り出されそのかかとが着床すると、前欄の最初に戻り、通常の平地前進歩行パターンが繰り返される。この歩行パターンにおけるかかと荷重検出器２２及びつま先荷重検出器２３からの信号と義足の膝関節のロックアンロックの関係は図６（Ａ）に示すようになる。
【００４１】
上述のように、通常の歩行パターンでは図５に示す、立ち上がり検出手段７１、立ち下がり検出手段７２、遊脚相制御手段７５及び立脚相制御手段７６が使用されて遊脚相立脚相の切換が実行される。これらの手段７１、７２、７５、７６は遊脚相立脚相切換手段を構成する。ここで、患者の歩行スピードに合わせて歩行周期の関数として導かれる遅速信号が周期検出手段７３から遊脚相制御手段７５に送られる。遊脚相制御手段７５では遅速信号に合わせて遊脚相での膝関節の抵抗を制御する。周期検出手段７３及び遊脚相制御手段７５は広義の遊脚相制御手段を構成する。
【００４２】
図６（Ｂ）は、平地後退歩行をする際のタイミングチャートである。歩行姿勢は、映画のフィルムを逆回しするように、図８を（Ｅ）から（Ａ）に逆方向に移動することになる。図６（Ｂ）に示すように、後退歩行では、つま先が先に着床しかかとがそれに続く。離床もつま先が先でかかとが遅れて離床する。図５に示す立ち上がり検出手段７１、立ち下がり検出手段７２ではかかと荷重検出器２２とつま先荷重検出器２３とからの信号を同等に扱っているので、前進歩行と同じ論理により義足を制御することができる。
【００４３】
すなわち、つま先荷重の立ち上がりにより義足の膝関節のアンロックを開始し、かかと荷重の立ち上がりまでにアンロックを完成する。そして、つま先荷重の立ち下がりにより膝関節のロックを開始し、かかと荷重の立ち下がりまでにロックを完成する。遊脚相の振り出し周期を患者の歩調に合わせるようにすることは平地前進歩行の場合と同じである。
【００４４】
図６（Ｃ）は、下り坂を降りる時のタイミングチャートである。歩行姿勢は図９を（Ｅ）から（Ａ）に移動することになる。下り坂歩行では、図９（Ｂ）から（Ａ）に至る、かかとが着床してからつま先が着床するまでの間隔時間が短くなる。同様に、図９（Ｅ）から（Ｄ）に至る、かかとが離床してからつま先が離床するまでの間隔時間が短くなる。これら間隔時間の短縮には、立ち上がり検出手段７１のメモリ７１ａと立ち下がり検出手段７２のメモリ７２ａの機能により間隔時間に追従して義足の膝関節が制御できる。従って、下り坂を降りるときも、患者のフィーリングに合った膝関節の制御ができる。
【００４５】
図６（Ｄ）は、上り坂を登る時のタイミングチャートである。歩行姿勢は図１０を（Ａ）から（Ｅ）に移動することになる。上り坂歩行では、図１０（Ｄ）から（Ｅ）に左下肢で示す様に、かかとが着床してからつま先が着床するまでの間隔時間が短くなる。同様に、図１０（Ｄ）から（Ａ）に右下肢で示すように、かかとが離床してからつま先が離床するまでの間隔時間が短くなる。つまり、タイミングチャートで見ると上り坂歩行の歩行パターンは下り坂歩行の歩行パターンと同一になる。従って、同一の制御により、患者のフィーリングに合った膝関節の制御ができる。
【００４６】
図７（Ｅ）は、階段を降りるときのタイミングチャートである。歩行姿勢は図１１を（Ａ）から（Ｄ）に移動する。階段を降りるときは独特の歩行パターンを示す。すなわち、図１１（Ｃ）〜（Ｄ）の右下肢に示されるように、つま先が先に下の階段ステップに着床してから、かかとが下の階段ステップに着床する。そして、離床の際には、図１１（Ｂ）〜（Ｃ）の左下肢に示すように、かかとが先に上の階段ステップを離床し、次いでつま先が離床する。本実施の形態では上記の歩行パターンを検出して階段降り歩行と判定し、義足の膝関節をロックすべき立脚相の期間にイールディング（ｙｉｅｌｄｉｎｇ）制御をする。
【００４７】
つまり、立脚相において屈曲用の第２の絞り弁５５を完全に閉じてしまわず、僅かに開いて作動油が通過できるように制御する。開く程度は患者の体重に合わせて予め設定しておくものとする。この結果、義足に患者の全体重が掛かると膝関節がゆっくりと屈曲するようになる。図１１において右下肢が義足であるとすると、（Ａ）から（Ｄ）に移行するに従って義足の膝が徐々に屈曲し、遊脚相にある健脚が階段の下のステップに着床するのを助ける。
【００４８】
図７（Ｆ）は、階段を登るときのタイミングチャートである。歩行姿勢は図１２を（Ａ）から（Ｅ）に移動する。階段を登るときの歩行パターンは平地歩行の歩行パターンと似ている。異なっているのは、図１２（Ａ）〜（Ｂ）の右下肢に示されるように、階段の上のステップに着床する際に、つま先とかかとが殆ど同時に着床する。一方、階段のステップから離床する際は、図１２（Ａ）〜（Ｂ）の左下肢に示されるように、かかとから離床する。そうであるから義足の制御は平地歩行と同じ論理でよい。図１２で左下肢を健脚、右下肢を義足として説明する。図１２（Ａ）では健脚で体重を支えている。従って、かかと荷重検出器２２、つま先荷重検出器２３共にオンであり義足は遊脚相に、つまり、義足の膝関節はアンロックの状態に保持される。患者は患脚の股関節屈筋を使い義足を階段のステップの上に振り上げる。この時、膝関節はフリーであるので大腿部の振り上げに伴い屈曲する。
【００４９】
図１２（Ｂ）では義足が階段の上のステップに着床し膝の屈曲の程度も小さくなっている。ここで患者が健脚のかかとを上げると平地歩行と同じ論理により、かかと荷重検出器２２がオフになり、義足の膝が屈曲したまま屈曲方向のみロックされる。そこで患者はロックされた義足に体重を移し、健脚側でけり出すと共に、義足側の股関節伸筋を働かせることにより、義足の膝を伸展させて階段を一段登る。このとき義足の膝は完全に伸展する必要はない（図１２（Ｃ））。このとき健脚は遊脚相であるから少し屈曲した義足で体重を支えながら健脚を前方上方に振りだし、図１２（Ｄ）のように、一つ上のステップに健脚が届くようにする。そして図１２（Ｅ）のように、健脚が上のステップに着床し荷重が加わると、かかと荷重検出器２２、つま先荷重検出器２３がオンになり、義足の膝関節がアンロックとなりフリーになる。そこで患者は、患脚の股関節屈筋を使って義足を振り上げ、図１２（Ａ）以降の動作を繰り返せば良い。以上の動作を繰り返すことにより、階段を登ることができる。
【００５０】
図７（Ｇ）は、膝屈曲位での静止姿勢をとるときのタイミングチャートである。歩行が終わり膝屈曲位をとろうとするときは、健脚のかかととつま先を着床したまま健脚の膝をゆっくり曲げる。義足の膝は、かかと荷重検出器２２とつま先荷重検出器２３がオンであるので、アンロックであり自由に屈曲する。目的の膝屈曲位姿勢になったら患者は健脚のかかとを僅かに上げてやる。すると、かかと荷重検出器２２がオフとなるので健脚が遊脚相になったと判定され、義足の膝がその屈曲した姿勢でロックされ体重を支えることができるようになる。
【００５１】
図７（Ｈ）は、椅子などに着座するときの動作を示すタイミングチャートである。着座しようとするときは健脚のかかととつま先を着床して行う。かかと荷重とつま先荷重がオンの状態では義足の膝はアンロックとなっているから、健脚をゆっくり屈曲させることにより椅子に着座することができる。椅子に着座した状態で健脚のかかととつま先を着床しておけば義足の膝はアンロックのままであるし、かかとかつま先を上げれば義足の膝がロックされる。これは患者が楽なように健脚で操作すればよい。着座の場合は、かかと荷重検出器２２がオンになった立ち上がりから次の立ち上がりまで長時間かかると思われるが、周期検出手段７３では所定時間より長いときはこれを無視してメモリ７３ａに記憶しないようにしているので、次の歩行の際に誤った遅速信号が出る虞はない。着座姿勢から立ち上がるには、義足の膝は伸展方向にはフリーに設定してあるため（絞り弁５３は常時全開）、健脚側のかかとを着床したままでも、浮かした状態でも、同様に立ち上がりが可能である。
【００５２】
以上説明した実施の形態では、図４に示すように、二つの流路５１、５２を設け膝の伸展屈曲をそれぞれ別々の絞り弁５３、５５で制御するようにしたが、膝の伸展は自由とし、膝の屈曲抵抗のみを制御する簡易な構成にしても良い。この場合、第１の絞り弁５３、第１のステッピングモータ５９は不要で、第１の油圧流路に第１のチェックバルブ５４のみがあればよいので、さらに義足の構成が簡易になる。また、遊脚相では屈曲伸展抵抗を歩行速度に合わせて調節するように作用させても良い。
また、前記の実施の形態では、無線送信器２４と無線受信器１９により健脚の情報を義足に送るようにしたが、赤外線、超音波を用いても良いし、有線で信号線を股関節近傍を経由して義足に送るようにしても良い。
【００５３】
上述の説明では大腿義足の膝関節の制御について説明したが、健脚制御の技術思想は股義足にも応用可能である。すなわち、股義足の膝関節を健脚側の情報により制御するようにしても良いことは明らかである。
【図面の簡単な説明】
【００５４】
【図１】本発明に係る大腿義足を示す側面図である。
【図２】かかと荷重検出器又はつま先荷重検出器を構成するゴムスイッチの構造を示す断面図である。
【図３】ダンパーとして作用する油圧シリンダの構造を模式的に示す断面図である。
【図４】油圧シリンダの油圧回路及びその制御回路を示す制御系統図である。
【図５】制御ユニットにおける制御ロジックの概要を示すブロック図である。
【図６】健脚のかかと及びつま先荷重検出器からの荷重信号と義足の膝関節のロックアンロックの状態を示すタイミングチャートである（平地前進、平地後退、下り坂、上り坂）。
【図７】健脚のかかと及びつま先荷重検出器からの荷重信号と義足の膝関節のロックアンロックの状態を示すタイミングチャートである（階段降り、階段登り、屈曲位での静止、着座）。
【図８】平地歩行のパターンを示す側面図である。
【図９】下り坂歩行のパターンを示す側面図である。
【図１０】上り坂歩行のパターンを示す側面図である。
【図１１】階段降り歩行のパターンを示す側面図である。
【図１２】階段登り歩行のパターンを示す側面図である。
【符号の説明】
【００５５】
１０  大腿義足
１１  ソケット
１６  油圧シリンダ
１９  無線受信器
２０  制御ユニット
２２  かかと荷重検出器
２３  つま先荷重検出器
２４  無線送信器
５３  第１の絞り弁（伸展用）
５５  第２の絞り弁（屈曲用）
５９  第１のステッピングモータ
６０  第２のステッピングモータ
７１  立ち上がり検出手段
７２  立ち下がり検出手段
７３  周期検出手段
７４  階段下り検出手段
７５  遊脚相制御手段
７６  立脚相制御手段
【図１】
2005230207.tif 000003
【図２】
2005230207.tif 000004
【図３】
2005230207.tif 000005
【図４】
2005230207.tif 000006
【図５】
2005230207.tif 000007
【図６】
2005230207.tif 000008
【図７】
2005230207.tif 000009
【図８】
2005230207.tif 000010
【図９】
2005230207.tif 000011
【図１０】
2005230207.tif 000012
【図１１】
2005230207.tif 000013
【図１２】
2005230207.tif 000014